(57)【要約】【課題】空間、費用を節約し、又、撮影時間を節約し、美しい画像を生成することができる撮影可能なデジタル複合機を提供する。【解決手段】本発明の撮影可能なデジタル複合機は、スタジオ本体からなるフォトグラフィスタジオを有し、その上に、画像撮影装置を設置する。スタジオ本体表面上に、開口を設置して、被写体を置入し、画像撮影装置のレンズを被写体に照準して、被写体を撮影して、画像を生成する。画像、及び、一般のパターン／テキストを処理するデジタル複合機は、制御装置により、フォトグラフィスタジオと連接し、制御装置は、フォトグラフィスタジオ、及び、デジタル複合機の作動を制御する。更に、少なくとも一つの電源を有し、フォトグラフィスタジオ、及び、デジタル複合機に必要な電源を提供する。【選択図】図１
2005223916.tif 000002
【特許請求の範囲】
【請求項１】
撮影可能なデジタル複合機であって、
スタジオ本体を有し、画像撮影装置を設置し、前記スタジオ本体表面上に開口を有して、被写体を置入し、前記画像撮影装置のレンズは、前記被写体に照準して、前記被写体を撮影して画像を生成するフォトグラフィスタジオと、
制御装置により、前記フォトグラフィスタジオと連接し、前記制御装置により作動を制御され、前記画像、及び、一般のパターン／テキストのスキャン、ファックス、プリント／コピーの処理を実行するデジタル複合機と、
前記フォトグラフィスタジオ、及び、前記デジタル複合機に必要な電源を提供する少なくとも一つの電源と、
からなることを特徴とするデジタル複合機。
【請求項２】
前記スタジオ本体は、安定器に連接される少なくとも一つの光源を設置し、前記安定器は、前記制御装置により開閉を制御され、前記光源を起動して、前記画像撮影装置に必要な光源を提供することを特徴とする請求項１に記載のデジタル複合機。
【請求項３】
更に、前記制御装置に連接されるインターネット線を有し、前記インターネット線は、前記画像、及び、前記一般のパターン／テキストをネットワーク伝送することを特徴とする請求項１に記載のデジタル複合機。
【請求項４】
前記フォトグラフィスタジオは、前記デジタル複合機と一体に整合されることを特徴とする請求項１に記載のデジタル複合機。
【請求項５】
前記フォトグラフィスタジオは、前記制御装置と一体に整合されることを特徴とする請求項１に記載のデジタル複合機。
【請求項６】
前記デジタル複合機は、前記制御装置と一体に整合されることを特徴とする請求項１に記載のデジタル複合機。
【請求項７】
前記フォトグラフィスタジオは、前記デジタル複合機、及び、前記制御装置と一体に整合されることを特徴とする請求項１に記載のデジタル複合機。
【請求項８】
前記フォトグラフィスタジオは、前記デジタル複合機、及び、前記制御装置と、それぞれ、独立して設置されることを特徴とする請求項１に記載のデジタル複合機。
【請求項９】
前記画像撮影装置は、公知のカメラ、デジタルカメラ、及び、撮影機のどれかであることを特徴とする請求項１に記載のデジタル複合機。
【請求項１０】
前記画像撮影装置は、嵌入式、固定式、及び、移動式のどれか一種の方法により、前記フォトグラフィスタジオ上に設置されることを特徴とする請求項１に記載のデジタル複合機。
【請求項１１】
前記デジタル複合機は、スキャン機構、ファクス機構、及び、プリント／コピー機構を有し、前記パターン／テキストのスキャン、ファックス、プリント、コピーの処理を実行することを特徴とする請求項１に記載のデジタル複合機。
【請求項１２】
前記デジタル複合機表面に、制御キーボードを設置し、前記デジタル複合機の作動を制御して、前記デジタル複合機に、前記パターン／テキストに対し、スキャン、ファックス、印刷／コピーの処理を実行させると共に、前記画像撮影装置の作動を制御することを特徴とする請求項１に記載のデジタル複合機。
【請求項１３】
前記制御キーボードを、前記デジタル複合機外に独立して設置し、前記デジタル複合機の作動を制御し、前記デジタル複合機に、前記パターン／テキストに対し、スキャン、ファックス、印刷／コピーの処理を実行させると共に、前記画像撮影装置の作動を制御することを特徴とする請求項１に記載のデジタル複合機。
【請求項１４】
前記デジタル複合機表面に、ディスプレイを設置し、前記デジタル複合機の作動状態、及び、前記画像撮影装置の撮影画像相関資料を、前記ディスプレイ上に表示することを特徴とする請求項１に記載のデジタル複合機。
【請求項１５】
前記ディスプレイを、前記デジタル複合機外に独立して設置し、前記デジタル複合機の作動状態、及び、前記画像撮影装置の撮影画像相関資料を、前記ディスプレイ上に表示することを特徴とする請求項１に記載のデジタル複合機。
【請求項１６】
前記制御装置は、コンピュータ、及び、その他の制御器からなる群から選択されることを特徴とする請求項１に記載のデジタル複合機。
【請求項１７】
前記制御装置は、USBハブ、及び、信号伝送線により、前記フォトグラフィスタジオ、及び、前記デジタル複合機と連接することを特徴とする請求項１に記載のデジタル複合機。
【請求項１８】
前記信号伝送線は、ユニバーサル・シリアル・バスであることを特徴とする請求項１７に記載のデジタル複合機。
【請求項１９】
更に、前記ファックス機構に連接される電話線を有し、前記パターン／テキストの伝送に用いることを特徴とする請求項１１に記載のデジタル複合機。
【発明の詳細な説明】
【技術分野】
【０００１】
本発明は、デジタル複合機（Multi  Function  Peripheral、MFP）に関するものであって、特に、撮影可能なデジタル複合機に関するものである。
【背景技術】
【０００２】
カメラ、デジタルカメラ等の製品は、現在、不可欠な製品であり、近年来、プリント、コピー、スキャン、ファックス機能を一体に整合したデジタル複合機は、プリンター市場において、注目を集めている。
【０００３】
多くの企業は、デジタル複合機により、相関する資料を伝送し、クライアントと連絡を取るが、立体商品の相関画像を撮影して伝送する時、カメラにより商品を撮影する必要があり、それを更に、コンピュータにより、クライアント端に伝送するので、時間を費やすし、非常に不便である。また、一般のカメラでは、美しい画質が得られないため、クライアントに、商品を選択してもらう上で、不利である。
【発明の開示】
【発明が解決しようとする課題】
【０００４】
上述の問題を解決するため、本発明は、撮影可能なデジタル複合機を提供し、デジタル複合機とフォトグラフィスタジオ（photography studio）を整合することにより、一般のコピー機、或いは、デジタル複合機が、立体実質物の撮影、編集、ネットワーク伝送ができないという欠点を改善し、デジタル複合機の機能を更に、多元化することを目的とする。
【０００５】
本発明は、空間を節約できる撮影可能なデジタル複合機を提供し、制御装置により、デジタル複合機、及び、フォトグラフィスタジオを制御し、コンピュータ設備、及び、ディスプレイを整合して、空間と費用を節約することをもう一つの目的とする。
【０００６】
本発明は、広範囲に応用出来る撮影可能なデジタル複合機を提供し、撮影機能を有し、企業内部の各部門の画像製作需要に幅広く応用が可能で、商業画像コミュニケーション用途にも使用でき、撮影時間を節約し、美しい画像を生成することを更なる目的とする。
【課題を解決するための手段】
【０００７】
上述の目的を達成するため、本発明の撮影可能なデジタル複合機は、スタジオ本体からなるフォトグラフィスタジオを有し、その上に、画像撮影装置を設置する。スタジオ本体表面上に、開口を設置して、被写体を置入し、画像撮影装置のレンズを被写体に照準して、被写体を撮影して、画像を生成する。画像、及び、一般のパターン／テキストを処理するデジタル複合機は、制御装置により、フォトグラフィスタジオと連接し、制御装置は、フォトグラフィスタジオ、及び、デジタル複合機の作動を制御する。更に、少なくとも一つの電源を有し、フォトグラフィスタジオ、及び、デジタル複合機に必要な電源を提供する。
【発明の効果】
【０００８】
本発明のデジタル複合機の機能は、更に、多元化され、又、空間と費用を節約し、更に、撮影時間を節約し、美しい画像を生成することが出来るという利点がある。
【発明を実施するための最良の形態】
【０００９】
以下、本発明の実施例について、図を参照しながら説明する。
【実施例１】
【００１０】
図１は、本発明装置の撮影可能なデジタル複合機の回路図であって、本発明は、スタジオ本体（図示しない）を有するフォトグラフィスタジオ１０を有し、画像撮影装置１０２を設置し、スタジオ本体表面上に開口を有し、被写体１０４を置入する。画像撮影装置１０２のレンズは、被写体１０４に照準し、被写体１０４を撮影すると共に、画像を生成する。デジタル複合機２０は、制御装置３０により、フォトグラフィスタジオ１０と連接され、制御装置３０は、USBハブ３０２、及び、ユニバーサル・シリアル・バスUSB３０４の信号伝送線により、フォトグラフィスタジオ１０、及び、デジタル複合機２０を連接する。制御装置３０は、フォトグラフィスタジオ１０、及び、デジタル複合機２０の作動を制御する。デジタル複合機２０は、スキャン機構２０２、ファクス機構２０４、及び、プリント／コピー機構２０６を有し、一般のパターン／テキストのスキャン、ファックス、プリント、コピーの処理を実行する。ファクス機構２０４は、電話線２０５により伝送する。少なくとも一つの電源４０が、フォトグラフィスタジオ１０、及び、デジタル複合機２０が必要な電源を提供する。
【００１１】
スタジオ本体は、少なくとも一つの光源１０６を設置し、安定器１０８に連接され、制御装置３０により、安定器１０８の開閉を制御し、光源１０６を起動して、光源１０６は、画像撮影装置１０２が必要とする光源を提供する。更に、制御装置３０に連接されるインターネット線３０６を有し、インターネット線３０６は、画像、及び、一般のパターン／テキストをネットワーク伝送する。画像撮影装置１０２は、公知のカメラ、デジタルカメラ、及び撮影機のどれかで、嵌入式、固定式、及び、移動式のどれか一種の方法により、フォトグラフィスタジオ１０上に設置される。デジタル複合機２０表面は、制御キーボード２０８を設置、或いは、独立設置し、デジタル複合機２０の作動を制御して、デジタル複合機２０に、パターン／テキストに対し、スキャン、ファックス、印刷／コピーの処理を実行させると共に、画像撮影装置１０２の作動を制御する。デジタル複合機２０表面に、ディスプレイ２１０を設置、或いは、独立設置し、デジタル複合機２０の作動状態、及び、画像撮影装置１０２の撮影画像相関資料を、ディスプレイ２１０上に表示する。制御装置３０は、コンピュータ、或いは、その他の制御器である。デジタル複合機２０は、デジタル複合機制御器２１２を設置し、デジタル複合機２０の作動を制御することも出来る。
【００１２】
図２（ａ）で示されるように、制御装置３０は独立し、フォトグラフィスタジオ１０とデジタル複合機２０を一体に整合するか、或いは、図２（ｂ）のように、デジタル複合機２０が独立し、制御装置３０とフォトグラフィスタジオ１０を一体に整合するか、或いは、図２（ｃ）で示されるように、フォトグラフィスタジオ１０は独立し、制御装置３０とデジタル複合機２０を一体に整合するか、或いは、図２（ｄ）で示されるように、フォトグラフィスタジオ１０、デジタル複合機２０、制御装置３０を一体に整合するか、或いは、図２（ｅ）を参照すると同時に、図１で示されるように、フォトグラフィスタジオ１０とデジタル複合機２０、及び、制御装置３０を独立して設置する。
【００１３】
本発明は、フォトグラフィスタジオ、デジタル複合機、コンピュータ、及び、ディスプレイを結合する故、デジタル複合機の機能が更に多元化し、且つ、制御装置により、フォトグラフィスタジオ、及び、デジタル複合機を制御すると共に、コンピュータ、及び、ディスプレイを整合するので、空間、及び、費用を節約し、且つ、企業内部の各部門の画像制作需要に幅広く応用が可能で、商業画像コミュニケーション用途にも使用でき、撮影時間を節約し、美しい画像を生成する。
【００１４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００１５】
【図１】本発明の回路図である。
【図２ａ】本発明の第一実施例を示した説明図である。
【図２ｂ】本発明の第二実施例を示した説明図である。
【図２ｃ】本発明の第三実施例を示した説明図である。
【図２ｄ】本発明の第四実施例を示した説明図である。
【図２ｅ】本発明の第五実施例を示した説明図である。
【符号の説明】
【００１６】
１０…フォトグラフィスタジオ
１０２…画像撮影装置
１０４…被写体
１０６…光源
１０８…安定器
２０…デジタル複合機
２０２…スキャン機構
２０４…ファクス機構
２０５…電話線
２０６…プリント／コピー機構
２０８…制御キーボード
２１０…ディスプレイ
３０…制御装置
３０２…USBハブ
３０４…ユニバーサル・シリアル・バスUSB
３０６…インターネット線
４０…電源    
【図１】
2005223916.tif 000003
【図２ａ】
2005223916.tif 000004
【図２ｂ】
2005223916.tif 000005
【図２ｃ】
2005223916.tif 000006
【図２ｄ】
2005223916.tif 000007
【図２ｅ】
2005223916.tif 000008